(57)【要約】【課題】本発明は住宅設備機器の各種データを無線及び回線を通じてセンター側と通信を行うシステムにおいて、特に多くの無線親機や無線子機が設置された場合の対処方法を課題とするものである。【解決手段】複数の無線親機６や無線子機２が設置された場合、使用率が高くなってきた周波数チャンネルから自動的に使用率の低い通信チャンネルに周波数チャンネルを制御手段８により切替選択する。【選択図】　図１
2004127176.tif 000002
【特許請求の範囲】
【請求項１】
住宅設備機器の各種データを収集すべく前記住宅設備機器に設けた無線子機から無線回線を介してセンタに接続する無線親機において、前記無線親機と無線子機との間は複数の周波数チャンネルのうち２つの周波数チャンネルで通信しどちらかの周波数チャンネルが使用中であった場合、次回の通信より使用中であった周波数チャンネルを制御手段により切替選択出来るようにしたことを特徴とする無線データ収集システム。
【請求項２】
制御手段は、ビジー回数カウント部からの同一周波数チャンネル使用回数オーバー信号により周波数チャンネルを切り替えることを特徴とする、請求項１に記載の無線データ収集システム。
【請求項３】
制御手段は、登録以外の無線子機からの通信があった場合、周波数チャンネルを切り替えることを特徴とする、請求項１に記載の無線データ収集システム。
【請求項４】
制御手段は、子機カウント部からの登録以外の無線子機からの子機通信回数オーバー信号により周波数チャンネルを切り替えることを特徴とする、請求項３に記載の無線データ収集システム。
【請求項５】
制御手段は、電界強度測定部により登録以外の無線子機からの受信レベルオーバー信号により周波数チャンネルを切り替えることを特徴とする、請求項３また４に記載の無線データ収集システム。
【請求項６】
制御手段は周囲の電波状況を監視し、現在使用中の周波数チャンネルの使用率が多いと判断したら、使用していない周波数チャンネルに切り替えることを特徴とする１から５いずれか１項に記載の無線データ収集システム。
【請求項７】
制御手段は、送受信周波数の切り換えを行うと、その変更の旨を無線通信手段による無線送信にて送信相手先の無線親機または無線子機へ報知することを特徴とする、請求項１から６いずれか１項に記載の無線データ収集システム。
【請求項８】
無線親機は表示手段を有し、当該無線親機の制御手段は、現在使用している周波数チャンネルを前記表示手段に識別表示をさせることを特徴とする、請求項１から７いずれか１項に記載の無線データ収集システム。
【請求項９】
請求項１〜８のいずれか１項記載の無線機親機の手段の全てもしくは一部としてマイコンなどのコンピュータを機能させるためのプログラム。
【発明の詳細な説明】
【０００１】
【発明の属する技術分野】
本発明は、住宅設備機器の各種データを無線及び回線を通じてセンター側と通信を行う無線データ収集システムに関するもので、特に無線機子機からの通報動作に関するものである。
【０００２】
【従来の技術】
従来の無線データ収集システムでは無線親機と無線子機間において、複数の送受信周波数のうち２つの周波数チャンネルを初期設定時に選択するか、外部入力機器より周波数チャンネルを選択するかして通信し、もし第１チャンネルが使用中であった場合は第２チャンネルを選択して無線通信を行うものであった。
【０００３】
【発明が解決しようとする課題】
しかしながら上記従来の無線データ収集システムでは、無線親機と無線子機が周辺に増えてくると、ほとんどの無線親機と無線子機は複数の送受信周波数のうち２つの周波数チャンネルを初期設定時に選択しているままのため同じ２つの周波数チャンネルとなり、無線検針ができない問題があった。また、外部入力機器より周波数チャンネルを選択する場合でも現状設置されている周波数チャンネルが分からないためどの周波数チャンネルに設定したらよいか分からないという問題があった。従来の無線データ収集システムには以上のような課題があった。
【０００４】
【課題を解決するための手段】
本発明は上記課題を解決するため、無線機親機と無線子機子機間において、複数の送受信周波数のうち２つの周波数チャンネルを初期設定時に選択し以降通信の状況により自動的に周波数チャンネルを切り換え選択可能としたものである。
【０００５】
上記発明によれば、設置後他の無線親機と無線子機が周辺に増えてきて同じ周波数チャンネルを使用し通信した場合でも通信失敗する確率を極めて低くすることが可能となる。
【０００６】
【発明の実施の形態】
本発明の請求項１にかかる無線データ収集システムは、住宅設備機器の各種データを収集すべく前記住宅設備機器に設けた無線子機から無線回線を介してセンタに接続する無線親機において、前記無線親機と無線子機との間を無線送受信する無線通信手段と、前記無線通信手段の複数設定可能な周波数チャンネルのうち２つの周波数チャンネルで通信しどちらかの周波数チャンネルが使用中であった場合、次回の通信より使用中であった周波数チャンネルを切り換え選択する制御手段を有するものである。
【０００７】
そして、無線親機や無線子機が周辺に多く設置された場合でも同じ周波数チャンネルを使用していたことによる通信失敗する確率を低減することができる。
【０００８】
また、本発明の請求項２にかかる無線データ収集システムは、無線親機は通信しようとした時、同一の周波数が使用されていて通信失敗となった回数が所定回数以上の場合、同一周波数チャンネル使用回数オーバー信号を制御手段に出力するビジー回数カウント部を有するものである。
【０００９】
そして、無線親機や無線子機が周辺に多く設置された場合でも、同じ周波数チャンネルを使用していたことによる通信失敗する確率を低減することができる。
【００１０】
また、本発明の請求項３にかかる無線データ収集システムは、登録以外の無線子機からの通信があった場合、周波数チャンネルを切り換える制御手段を有するものである。
【００１１】
そして、無線親機に複数の子機が登録可能なシステムが周辺に多く設置された場合でも、同じ周波数チャンネルを使用していたことによる通信失敗する確率を低減することができる。
【００１２】
また、本発明の請求項４にかかる無線データ収集システムは、無線親機が登録されている子機以外の無線通信を受信した回数が所定回数以上の場合、子機通信回数オーバー信号を制御手段に出力する子機カウント部を有するものである。
【００１３】
そして、無線親機に複数の子機が登録可能なシステムが周辺に多く設置された場合でも、同じ周波数チャンネルを使用していたことによる通信失敗する確率を低減することができる。
【００１４】
また、本発明の請求項５にかかる無線データ収集システムは、無線親機が登録されている子機以外の無線通信で且つ受信した電界強度レベルが所定値以上の場合、受信レベルオーバー信号を制御手段に出力する電界強度測定部を有するものである。
【００１５】
そして、無線親機に複数の子機が登録可能なシステムが周辺に多く設置された場合でも、同じ周波数チャンネルを使用していたことによる通信失敗する確率を低減することができる。
【００１６】
また、本発明の請求項６にかかる無線データ収集システムは、周囲の電波状況を監視して現在使用中の周波数チャンネルの使用率が多いと判断したら使用していない周波数チャンネルに切り換える制御手段を有するものである。
【００１７】
そして、無線親機や無線子機が周辺に多く設置された場合でも同じ周波数チャンネルを使用していたことによる通信失敗する確率を低減することができる。
【００１８】
また、本発明の請求項７にかかる無線データ収集システムは、送受信周波数の切り換えを行うと、その変更の旨を無線通信手段による無線送信にて送信相手先の無線親機または無線子機へ報知する制御手段を有するものである。
【００１９】
そして、無線親機や無線子機が同時に通信する周波数チャンネルを変更することで常に２つの周波数チャンネルのみを受信するだけのため消費電流を低減することができる。
【００２０】
また、本発明の請求項８にかかる無線データ収集システムは、現在使用している周波数チャンネルを識別表示できる表示手段を有するものである。
【００２１】
そして、無線親機と無線子機の送受信している周波数チャンネルが容易に確認できるため、間違いを防止することができる。
【００２２】
本発明の請求項９にかかるプログラムは、請求項１〜８のいずれか１項記載の無線機親機の手段の全てもしくは一部としてマイコンなどのコンピュータを機能させるためのプログラムである。そして、プログラムであるのでマイクロコンピュータ等を用いて本発明の無線機親機の一部あるいは全てを容易に実現することができる。また記録媒体に記録したり通信回線を用いてプログラムを配信したりすることでプログラムの配布やインストール作業が簡単にできる。
【００２３】
【実施例】
以下、本発明の実施例について図面を用いて説明する。
【００２４】
（実施例１）
図１は本発明の実施例１の無線データ収集システムを示すブロック図である。図１において、１は各家庭にあるガスメータである。２はガスメータ１に取り付け（もしくは内蔵）されている無線子機である。６は公衆回線等との通信を行うと共に無線子機２と無線通信を行う無線親機である。
【００２５】
無線親機６において、５は無線子機２と無線の送受信を行うための無線通信手段である。７は無線親機６と無線子機２との間の複数の周波数チャンネルのうち２つの周波数チャンネルを選択しどちらかの周波数チャンネルが使用中であった場合、次回の通信より使用中であった周波数チャンネルを切替選択出来るようにした制御手段である。具体的な判定方法については以下に示す。９は電話回線等の回線である。１０は回線９を通じて無線機親機６と通信を行いガスメータ１の各種データの収集を行うセンター側装置である。
【００２６】
図１において、無線機子機２はガスメータ１からの地震によるガス遮断信号や設置業者等によるテスト的なガス遮断や復帰等のセキュリティ情報をむせ通信手段５で無線データに変えて無線機親機６に無線送信する。無線機親機６は回線９を通じてセンター側装置１０に前記のセキュリティ情報を通報する。
【００２７】
ここでの回線９は有線電話回線やＰＨＳやＰＤＣ、ＰＤＣＰ等の無線電話回線でもよいし、システム占有の専用回線でもよい。また、センター側装置１０はガスメータ１の動作状態やデータを収集するため無線機親機６の無線通信手段５を介して無線機子機２へデータ要求信号を送信しガスメータ１の動作状態や検針データを収集する。
【００２８】
更に、無線親機６または無線子機２から無線データを送信しようとした場合、無線親機６と無線子機２との間の通信は消費電流低減と且つ機構の簡略化のため複数の周波数チャンネルのうち２つの周波数チャンネルを初期設定時に選択し以降その２つの周波数チャンネルで無線通信を行う。
【００２９】
例えば２つの周波数チャンネルのうち最初に出力する側の周波数チャンネルをメインチャンネルとし、設置以降に外部入力機器などにより設定変更が可能な構成とし、２番目に出力する側の周波数チャンネルをサブチャンネルとし、以降設定変更が不可とする。ここでサブチャンネルは設定変更可能な構成でも良い。
【００３０】
しかし、周辺に他の無線親機６や無線子機２が増えお互いに通信タイミングが重なった場合メインチャンネルで通信しようとするが使用中のためサブチャンネルで通信を実行しようとする。更に無線親機６や無線子機２が増えてくると２チャンネルだけでは正常に通信ができないことになる。
【００３１】
しかしながら、制御手段８により無線親機６と無線子機２が無線通信を行う場合メインチャンネルが使用中でサブチャンネルで通信した時は、メインチャンネルを現在使用中のチャンネルと異なるチャンネルに変更し、次回通信を行う場合は変更後のメインチャンネルで無線通信を行うことで周辺に他の無線親機６や無線子機２が増えた場合でも周波数チャンネルを変更することで、他の無線親機６と無線子機２の間での無線通信中でも通信が可能となる。
【００３２】
以上のように、他の無線親機６や無線子機２の電波使用中による通信失敗が無くガスメータ１からのセキュリティ情報をセンター側装置１０へ通報したり、センター側装置１０からガスメータ１の情報収集ができるため、信頼性の高いシステムを実現することができる。
【００３３】
（実施例２）
図２は本発明の実施例２の無線データ収集システムを示すブロック図である。図２において、図１と同じ機能を有するものは同じ名称、同じ符号として説明を省略する。
【００３４】
７は無線親機６と無線子機２の無線通信中に他の無線親機６と無線子機２の通信によりメインチャンネルで通信できなかった回数をカウントするビジー回数カウント部である。
【００３５】
図２において、無線機子機２はガスメータ１からの地震によるガス遮断信号や設置業者等によるテスト的なガス遮断や復帰等のセキュリティ情報をむせ通信手段５で無線データに変えて無線機親機６に無線送信する。無線機親機６は回線９を通じてセンター側装置１０に前記のセキュリティ情報を通報する。
【００３６】
ここでの回線９は有線電話回線やＰＨＳやＰＤＣ、ＰＤＣＰ等の無線電話回線でもよいし、システム占有の専用回線でもよい。また、センター側装置１０はガスメータ１の動作状態やデータを収集するため無線機親機６の無線通信手段５を介して無線機子機２へデータ要求信号を送信しガスメータ１の動作状態や検針データを収集する。更に、無線親機６または無線子機２から無線データを送信しようとした場合、無線親機６と無線子機２との間の通信は消費電流低減と且つ機構の簡略化のため複数の周波数チャンネルのうち２つの周波数チャンネルを初期設定時に選択し以降その２つの周波数チャンネルで無線通信を行う。例えば２つの周波数チャンネルのうち最初に出力する側の周波数チャンネルをメインチャンネルとし、設置以降に外部入力機器などにより設定変更が可能な構成とし、２番目に出力する側の周波数チャンネルをサブチャンネルとし、以降設定変更が不可とする。ここでサブチャンネルは設定変更可能な構成でも良い。しかし、周辺に他の無線親機６や無線子機２が増えお互いに通信タイミングが重なった場合メインチャンネルで通信しようとするが使用中のためサブチャンネルで通信を実行しようとする。更に無線親機６や無線子機２が増えてくると２チャンネルだけでは正常に通信ができないことになる。
【００３７】
しかしながら、ビジー回数カウント部７により無線親機６と無線子機２が無線通信を行う場合メインチャンネルが使用中でサブチャンネルで通信した時ビジーか回数カウント部でカウントし所定の回数（例えば１０回）以上に達した場合、ビジー回数カウント部７は制御手段８に対して同一周波数チャンネル使用回数オーバー信号を出力する。前記信号を受信した制御手段８は、メインチャンネルを現在使用中のチャンネルと異なるチャンネルに変更し、次回通信を行う場合は変更後のメインチャンネルで無線通信を行うことで周辺に他の無線親機６や無線子機２が増えた場合でも周波数チャンネルを変更することで、他の無線親機６と無線子機２の間での無線通信中でも通信が可能となる。
【００３８】
以上のように、他の無線親機６や無線子機２の電波使用中による通信失敗が無くガスメータ１からのセキュリティ情報をセンター側装置１０へ通報したり、センター側装置１０からガスメータ１の情報収集ができるため、信頼性の高いシステムを実現することができる。
【００３９】
（実施例３）
図１は本発明の実施例３の無線データ収集システムを示すブロック図でもあり、実施例１と同じ機能を有するものは同じ名称、同じ符号として説明を省略する。
【００４０】
図１において、無線機子機２はガスメータ１からの地震によるガス遮断信号や設置業者等によるテスト的なガス遮断や復帰等のセキュリティ情報をむせ通信手段５で無線データに変えて無線機親機６に無線送信する。無線機親機６は回線９を通じてセンター側装置１０に前記のセキュリティ情報を通報する。
【００４１】
ここでの回線９は有線電話回線やＰＨＳやＰＤＣ、ＰＤＣＰ等の無線電話回線でもよいし、システム占有の専用回線でもよい。また、センター側装置１０はガスメータ１の動作状態やデータを収集するため無線機親機６の無線通信手段５を介して無線機子機２へデータ要求信号を送信しガスメータ１の動作状態や検針データを収集する。更に、無線親機６または無線子機２から無線データを送信しようとした場合、無線親機６と無線子機２との間の通信は消費電流低減と且つ機構の簡略化のため複数の周波数チャンネルのうち２つの周波数チャンネルを初期設定時に選択し以降その２つの周波数チャンネルで無線通信を行う。例えば２つの周波数チャンネルのうち最初に出力する側の周波数チャンネルをメインチャンネルとし、設置以降に外部入力機器などにより設定変更が可能な構成とし、２番目に出力する側の周波数チャンネルをサブチャンネルとし、以降設定変更が不可とする。
【００４２】
ここでサブチャンネルは設定変更可能な構成でも良い。しかし、周辺に他の無線親機６や無線子機２が増えお互いに通信タイミングが重なった場合メインチャンネルで通信しようとするが使用中のためサブチャンネルで通信を実行しようとする。
【００４３】
更に無線親機６や無線子機２が増えてくると２チャンネルだけでは正常に通信ができないことになる。
【００４４】
しかしながら、制御手段８により登録以外の無線子機２や他の無線親機６の無線通信があった場合、他の無線親機６や無線子機２が周辺に設置されている可能性が高く通信エラーとなる確立が高くなるため、メインチャンネルを現在使用中のチャンネルと異なるチャンネルに変更し、次回通信を行う場合は変更後のメインチャンネルで無線通信を行うことで周辺に他の無線親機６や無線子機２が増えた場合でも周波数チャンネルを変更することで、他の無線親機６と無線子機２の間での無線通信中でも通信が可能となる。
【００４５】
以上のように、他の無線親機６や無線子機２の電波使用中による通信失敗が無くガスメータ１からのセキュリティ情報をセンター側装置１０へ通報したり、センター側装置１０からガスメータ１の情報収集ができるため、信頼性の高いシステムを実現することができる。
【００４６】
（実施例４）
図３は本発明の実施例４の無線データ収集システムを示すブロック図である。
【００４７】
図３において、図１と同じ機能を有するものは同じ名称、同じ符号として説明を省略する。
【００４８】
１１は他の無線親機６や無線子機２の無線通信した回数をカウントする子機カウント部である。
【００４９】
図３において、無線機子機２はガスメータ１からの地震によるガス遮断信号や設置業者等によるテスト的なガス遮断や復帰等のセキュリティ情報をむせ通信手段５で無線データに変えて無線機親機６に無線送信する。無線機親機６は回線９を通じてセンター側装置１０に前記のセキュリティ情報を通報する。
【００５０】
ここでの回線９は有線電話回線やＰＨＳやＰＤＣ、ＰＤＣＰ等の無線電話回線でもよいし、システム占有の専用回線でもよい。また、センター側装置１０はガスメータ１の動作状態やデータを収集するため無線機親機６の無線通信手段５を介して無線機子機２へデータ要求信号を送信しガスメータ１の動作状態や検針データを収集する。
【００５１】
更に、無線親機６または無線子機２から無線データを送信しようとした場合、無線親機６と無線子機２との間の通信は消費電流低減と且つ機構の簡略化のため複数の周波数チャンネルのうち２つの周波数チャンネルを初期設定時に選択し以降その２つの周波数チャンネルで無線通信を行う。
【００５２】
例えば２つの周波数チャンネルのうち最初に出力する側の周波数チャンネルをメインチャンネルとし、設置以降に外部入力機器などにより設定変更が可能な構成とし、２番目に出力する側の周波数チャンネルをサブチャンネルとし、以降設定変更が不可とする。ここでサブチャンネルは設定変更可能な構成でも良い。
【００５３】
しかし、周辺に他の無線親機６や無線子機２が増えお互いに通信タイミングが重なった場合メインチャンネルで通信しようとするが使用中のためサブチャンネルで通信を実行しようとする。更に無線親機６や無線子機２が増えてくると２チャンネルだけでは正常に通信ができないことになる。
【００５４】
しかしながら、子機カウント部１１により他の無線親機６や無線子機２の無線通信を受信した回数をカウントし所定の回数（例えば１０回）以上に達した場合、子機カウント部１１は制御手段８に対して子機通信回数オーバー信号を出力する。
【００５５】
前記信号を受信した制御手段８は、メインチャンネルを現在使用中のチャンネルと異なるチャンネルに変更し、次回通信を行う場合は変更後のメインチャンネルで無線通信を行うことで周辺に他の無線親機６や無線子機２が増えた場合でも周波数チャンネルを変更することで、他の無線親機６と無線子機２の間での無線通信中でも通信が可能となる。
【００５６】
以上のように、他の無線親機６や無線子機２の電波使用中による通信失敗が無くガスメータ１からのセキュリティ情報をセンター側装置１０へ通報したり、センター側装置１０からガスメータ１の情報収集ができるため、信頼性の高いシステムを実現することができる。
【００５７】
（実施例５）
図４は本発明の実施例５の無線データ収集システムを示すブロック図である。
【００５８】
図４において、図１と同じ機能を有するものは同じ名称、同じ符号として説明を省略する。
【００５９】
１２は他の無線親機６や無線子機２の無線通信を受信したときの電界強度が測定できる電界強度測定部である。
【００６０】
図４において、無線機子機２はガスメータ１からの地震によるガス遮断信号や設置業者等によるテスト的なガス遮断や復帰等のセキュリティ情報をむせ通信手段５で無線データに変えて無線機親機６に無線送信する。無線機親機６は回線９を通じてセンター側装置１０に前記のセキュリティ情報を通報する。
【００６１】
ここでの回線９は有線電話回線やＰＨＳやＰＤＣ、ＰＤＣＰ等の無線電話回線でもよいし、システム占有の専用回線でもよい。また、センター側装置１０はガスメータ１の動作状態やデータを収集するため無線機親機６の無線通信手段５を介して無線機子機２へデータ要求信号を送信しガスメータ１の動作状態や検針データを収集する。
【００６２】
更に、無線親機６または無線子機２から無線データを送信しようとした場合、無線親機６と無線子機２との間の通信は消費電流低減と且つ機構の簡略化のため複数の周波数チャンネルのうち２つの周波数チャンネルを初期設定時に選択し以降その２つの周波数チャンネルで無線通信を行う。例えば２つの周波数チャンネルのうち最初に出力する側の周波数チャンネルをメインチャンネルとし、設置以降に外部入力機器などにより設定変更が可能な構成とし、２番目に出力する側の周波数チャンネルをサブチャンネルとし、以降設定変更が不可とする。
【００６３】
ここでサブチャンネルは設定変更可能な構成でも良い。しかし、周辺に他の無線親機６や無線子機２が増えお互いに通信タイミングが重なった場合メインチャンネルで通信しようとするが使用中のためサブチャンネルで通信を実行しようとする。
【００６４】
更に無線親機６や無線子機２が増えてくると２チャンネルだけでは正常に通信ができないことになる。
【００６５】
しかしながら、電界強度測定部１２により他の無線親機６や無線子機２の無線通信を受信した時の電界強度レベルを測定し所定の値（例えば−６０ｄｂｍ）以上に達した場合、電界強度測定部１２は制御手段８に対して受信レベルオーバー信号を出力する。前記信号を受信した制御手段８は、他の無線親機６や無線子機２が近くに設置されており且つ同一の周波数チャンネルで通信を行っているためメインチャンネルを現在使用中のチャンネルと異なるチャンネルに変更し、次回通信を行う場合は変更後のメインチャンネルで無線通信を行うことで周辺に他の無線親機６や無線子機２が増えた場合でも周波数チャンネルを変更することで、他の無線親機６と無線子機２の間での無線通信中でも通信が可能となる。
【００６６】
以上のように、他の無線親機６や無線子機２の電波使用中による通信失敗が無くガスメータ１からのセキュリティ情報をセンター側装置１０へ通報したり、センター側装置１０からガスメータ１の情報収集ができるため、信頼性の高いシステムを実現することができる。
【００６７】
（実施例６）
図１は本発明の実施例６の無線データ収集システムを示すブロック図でもあり、実施例１と同じ機能を有するものは同じ名称、同じ符号として説明を省略する。
【００６８】
図１において、無線機子機２はガスメータ１からの地震によるガス遮断信号や設置業者等によるテスト的なガス遮断や復帰等のセキュリティ情報をむせ通信手段５で無線データに変えて無線機親機６に無線送信する。無線機親機６は回線９を通じてセンター側装置１０に前記のセキュリティ情報を通報する。ここでの回線９は有線電話回線やＰＨＳやＰＤＣ、ＰＤＣＰ等の無線電話回線でもよいし、システム占有の専用回線でもよい。また、センター側装置１０はガスメータ１の動作状態やデータを収集するため無線機親機６の無線通信手段５を介して無線機子機２へデータ要求信号を送信しガスメータ１の動作状態や検針データを収集する。更に、無線親機６または無線子機２から無線データを送信しようとした場合、無線親機６と無線子機２との間の通信は消費電流低減と且つ機構の簡略化のため複数の周波数チャンネルのうち２つの周波数チャンネルを初期設定時に選択し以降その２つの周波数チャンネルで無線通信を行う。
【００６９】
例えば２つの周波数チャンネルのうち最初に出力する側の周波数チャンネルをメインチャンネルとし、設置以降に外部入力機器などにより設定変更が可能な構成とし、２番目に出力する側の周波数チャンネルをサブチャンネルとし、以降設定変更が不可とする。ここでサブチャンネルは設定変更可能な構成でも良い。
【００７０】
しかし、周辺に他の無線親機６や無線子機２が増えお互いに通信タイミングが重なった場合メインチャンネルで通信しようとするが使用中のためサブチャンネルで通信を実行しようとする。更に無線親機６や無線子機２が増えてくると２チャンネルだけでは正常に通信ができないことになる。
【００７１】
しかしながら、制御手段８により定期的に全ての周波数チャンネルを監視し登録以外の無線子機２や他の無線親機６の無線通信により同一の周波数チャンネルを使う使用率が多いと判断した場合は、事前に現在使用中以外の周波数チャンネルの使用率も測定し、メインチャンネルを現在使用中のチャンネルから一番使用率の低いチャンネルに変更し、次回通信を行う場合は変更後のメインチャンネルで無線通信を行うことで周辺に他の無線親機６や無線子機２が増えた場合でも周波数チャンネルを変更し、他の無線親機６と無線子機２の間での無線通信中でも通信が可能となる。
【００７２】
以上のように、他の無線親機６や無線子機２の電波使用中による通信失敗が無くガスメータ１からのセキュリティ情報をセンター側装置１０へ通報したり、センター側装置１０からガスメータ１の情報収集ができるため、信頼性の高いシステムを実現することができる。
【００７３】
（実施例７）
図１は本発明の実施例７の無線データ収集システムを示すブロック図でもあり、実施例１と同じ機能を有するものは同じ名称、同じ符号として説明を省略する。
【００７４】
図１において、無線機子機２はガスメータ１からの地震によるガス遮断信号や設置業者等によるテスト的なガス遮断や復帰等のセキュリティ情報をむせ通信手段５で無線データに変えて無線機親機６に無線送信する。無線機親機６は回線９を通じてセンター側装置１０に前記のセキュリティ情報を通報する。ここでの回線９は有線電話回線やＰＨＳやＰＤＣ、ＰＤＣＰ等の無線電話回線でもよいし、システム占有の専用回線でもよい。また、センター側装置１０はガスメータ１の動作状態やデータを収集するため無線機親機６の無線通信手段５を介して無線機子機２へデータ要求信号を送信しガスメータ１の動作状態や検針データを収集する。
【００７５】
更に、無線親機６または無線子機２から無線データを送信しようとした場合、無線親機６と無線子機２との間の通信は消費電流低減と且つ機構の簡略化のため複数の周波数チャンネルのうち２つの周波数チャンネルを初期設定時に選択し以降その２つの周波数チャンネルで無線通信を行う。例えば２つの周波数チャンネルのうち最初に出力する側の周波数チャンネルをメインチャンネルとし、設置以降に外部入力機器などにより設定変更が可能な構成とし、２番目に出力する側の周波数チャンネルをサブチャンネルとし、以降設定変更が不可とする。ここでサブチャンネルは設定変更可能な構成でも良い。
【００７６】
しかし、周辺に他の無線親機６や無線子機２が増えお互いに通信タイミングが重なった場合メインチャンネルで通信しようとするが使用中のためサブチャンネルで通信を実行しようとする。更に無線親機６や無線子機２が増えてくると２チャンネルだけでは正常に通信ができないことになる。
【００７７】
しかしながら、制御手段８により定期的に全ての周波数チャンネルを監視し登録以外の無線子機２や他の無線親機６の無線通信により同一の周波数チャンネルを使う使用率が多いと判断した場合は、事前に現在使用中以外の周波数チャンネルの使用率も測定し、メインチャンネルを現在使用中のチャンネルから一番使用率の低いチャンネルに変更する。更に制御手段８は通信している無線親機６や無線子機２更には他の無線親機６や無線子機２に対しメインチャンネルを変更したことを通知する。制御手段８が通知することで周辺に設置されている他の無線親機６や無線子機２が同じように周波数チャンネルを変更しなくてすみ、周辺に他の無線親機６や無線子機２が増えた場合でも周波数チャンネルを変更し、他の無線親機６と無線子機２の間での無線通信中でも通信が可能となる。
【００７８】
以上のように、他の無線親機６や無線子機２の電波使用中による通信失敗が無くガスメータ１からのセキュリティ情報をセンター側装置１０へ通報したり、センター側装置１０からガスメータ１の情報収集ができるため、信頼性の高いシステムを実現することができる。
【００７９】
（実施例８）
図５は本発明の実施例８の無線データ収集システムを示すブロック図である。
【００８０】
図５において、図４と同じ機能を有するものは同じ名称、同じ符号として説明を省略する。
【００８１】
１３は無線親機６と無線子機２の通信に使用している周波数チャンネルが何であるか表示する表示部である。
【００８２】
図５において、無線機子機２はガスメータ１からの地震によるガス遮断信号や設置業者等によるテスト的なガス遮断や復帰等のセキュリティ情報をむせ通信手段５で無線データに変えて無線機親機６に無線送信する。無線機親機６は回線９を通じてセンター側装置１０に前記のセキュリティ情報を通報する。ここでの回線９は有線電話回線やＰＨＳやＰＤＣ、ＰＤＣＰ等の無線電話回線でもよいし、システム占有の専用回線でもよい。また、センター側装置１０はガスメータ１の動作状態やデータを収集するため無線機親機６の無線通信手段５を介して無線機子機２へデータ要求信号を送信しガスメータ１の動作状態や検針データを収集する。
【００８３】
更に、無線親機６または無線子機２から無線データを送信しようとした場合、無線親機６と無線子機２との間の通信は消費電流低減と且つ機構の簡略化のため複数の周波数チャンネルのうち２つの周波数チャンネルを初期設定時に選択し以降その２つの周波数チャンネルで無線通信を行う。
【００８４】
例えば２つの周波数チャンネルのうち最初に出力する側の周波数チャンネルをメインチャンネルとし、設置以降に外部入力機器などにより設定変更が可能な構成とし、２番目に出力する側の周波数チャンネルをサブチャンネルとし、以降設定変更が不可とする。ここでサブチャンネルは設定変更可能な構成でも良い。
【００８５】
しかし、周辺に他の無線親機６や無線子機２が増えお互いに通信タイミングが重なった場合メインチャンネルで通信しようとするが使用中のためサブチャンネルで通信を実行しようとする。更に無線親機６や無線子機２が増えてくると２チャンネルだけでは正常に通信ができないことになり、外部入力機器により周波数チャンネルを変更するが他の無線親機６や無線子機２がどの周波数チャンネルで通信しているかが不明であるため最適な周波数チャンネルを設定することができない。
【００８６】
しかしながら、表示部１３によりの無線親機６と無線子機２の周波数チャンネルを表示することで、各々の無線機が現在どの周波数チャンネルで無線通信を行っているかが明確になるため最適な周波数チャンネルを容易に設定することが可能となる。
【００８７】
以上のように、最適な周波数チャンネルを外部入力機器等で設定できるため、他の無線親機６や無線子機２の電波使用中による通信失敗が無くガスメータ１からのセキュリティ情報をセンター側装置１０へ通報したり、センター側装置１０からガスメータ１の情報収集ができるため、信頼性の高いシステムを実現することができる。
【００８８】
【発明の効果】
以上説明したように本発明によれば、他の無線親機６や無線子機２の電波使用中による通信失敗が無くガスメータ１からのセキュリティ情報をセンター側装置１０へ通報したり、センター側装置１０からガスメータ１の情報収集ができるため、信頼性の高いシステムを実現することができる。
【図面の簡単な説明】
【図１】本発明の実施例１における無線データ収集システムのブロック図
【図２】本発明の実施例２における無線データ収集システムのブロック図
【図３】本発明の実施例４における無線データ収集システムのブロック図
【図４】本発明の実施例５における無線データ収集システムのブロック図
【図５】本発明の実施例８における無線データ収集システムのブロック図
【図６】従来の無線データ収集装置のブロック図
【符号の説明】
１、２１　ガスメータ
２、２２　無線機子機
５、２５　無線通信手段
６、２６　無線機親機
７　ビジー回数カウント部
８、２８　制御手段
９、２９　電話回線等の回線
１０、３０　センター側装置
１１　子機カウント部
１２　電界強度測定部
１３　表示手段
【図１】
2004127176.tif 000003
【図２】
2004127176.tif 000004
【図３】
2004127176.tif 000005
【図４】
2004127176.tif 000006
【図５】
2004127176.tif 000007
【図６】
2004127176.tif 000008